(57)【要約】【目的】無線タグが重ねて置かれても各タグに電力を供給して情報の読み取りを可能にする。【構成】 重ね合わされた複数のタグの少なくとも一つに電力を供給しながら該タグから情報を読み取るタグ読み取り装置であり、高周波信号を発生する手段、該高周波信号がそれぞれ入力され、複数の箇所から、例えば重ね合わされたタグの両側から該高周波信号により電磁波を発生し、該電磁波をタグ上で干渉させる電磁波発生手段、情報を読み出すタグの位置に応じてタグの両側に設けられた電磁波発生手段に供給する高周波信号間の位相差を制御する手段、該位相差が生じるように少なくとも一方の高周波信号の位相を制御する移相手段を備えている。【選択図】        図１
2005184318.tif 000002
【特許請求の範囲】
【請求項１】
重ね合わされた複数のタグの少なくとも一つに電力を供給し、該タグから情報を読み取るタグ読み取り方法において、
各タグへの高周波信号による電力供給を、複数の箇所から高周波信号により電磁波を発生し、該電磁波をタグ上で干渉させることにより行い、
情報を読み出すタグの位置に応じて前記高周波信号間の位相を制御する、
ことを特徴とするタグ読み取り方法。
【請求項２】
重ね合わされた複数のタグの少なくとも一つに電力を供給し、該タグから情報を読み取るタグ読み取り方法において、
各タグへの高周波信号による電力供給を前記重ね合わされたタグの一方の側から行い、
タグの他方の側に前記高周波信号により生じる電磁波を反射する反射体を置き、
前記電磁波と反射電磁波を前記重ね合わされたタグ上で干渉させ、
情報を読み出すタグの位置に応じて、前記反射体の位置を制御する、
ことを特徴とするタグ読み取り方法。
【請求項３】
重ね合わされた複数のタグの少なくとも一つに電力を供給し、該タグから情報を読み取るタグ読み取り方法において、
各タグへの高周波信号による電力供給を前記重ね合わされたタグの一方の側から行い、
タグの他方の側に前記高周波信号により生じる電磁波を反射する反射体を置き、
前記電磁波と反射電磁波を前記重ね合わされたタグ上で干渉させ、
情報を読み出すタグの位置に応じて、前記反射体の反射率を制御する、
ことを特徴とするタグ読み取り方法。
【請求項４】
重ね合わされた複数のタグの少なくとも一つに電力を供給し、該タグから情報を読み取るタグ読み取り方法において、
タグへの高周波信号による電力供給を、複数の箇所から高周波信号により電磁波を発生し、該電磁波をタグ上で干渉させることにより行い、
高周波信号を分岐し、分岐点からそれぞれの前記電磁波の発生点までの伝播長に差を持たせ、高周波信号の周波数を任意の低周波数から任意の高周波数まで変更するとき、前記分岐高周波信号間の位相が所要角度回転をするように該差を決定し、
情報を読み出すタグの位置に応じて前記高周波信号の周波数を制御する、
ことを特徴とするタグ読み取り方法。
【請求項５】
重ね合わされた複数のタグの少なくとも一つに電力を供給し、該タグから情報を読み取るタグ読み取り方法において、
電磁波を漏洩する伝送線路を前記重ね合せたタグの周囲に置き、
高周波信号を分岐し、分岐した各高周波信号を前記伝送線路の両端に入力して干渉させ、
情報を読み出すタグの位置に応じて前記分岐した高周波信号間の位相を制御し、
前記伝送線路から電磁波を漏洩して前記タグへの高周波信号による電力供給を行う、
ことを特徴とするタグ読み取り方法。
【請求項６】
重ね合わされた複数のタグの少なくとも一つに電力を供給し、該タグから情報を読み取るタグ読み取り方法において、
電磁波を漏洩する伝送線路を前記重ね合せたタグの周囲に置き、
高周波信号を分岐し、分岐した各高周波信号を前記伝送線路の両端に入力して干渉させ、
分岐点から伝送線路の両端までの伝播長に差を持たせ、高周波信号の周波数を任意の低周波数から任意の高周波数まで変更するとき、前記分岐高周波信号間の位相が所要角度回転するように該差を決定し、
情報を読み出すタグの位置に応じて前記高周波信号の周波数を制御し、
前記伝送線路から電磁波を漏洩して前記タグへの高周波信号による電力供給を行う、
ことを特徴とするタグ読み取り方法。
【請求項７】
重ね合わされた複数のタグの少なくとも一つに電力を供給し、該タグから情報を読み取るタグ読み取り装置において、
高周波信号を発生する手段、
該高周波信号がそれぞれ入力され、複数の箇所から該高周波信号により電磁波を発生し、該電磁波をタグ上で干渉させる電磁波発生手段、
情報を読み出すタグの位置に応じて前記高周波信号間の位相差を決定する手段、
該位相差が生じるように少なくとも一方の高周波信号の位相を制御する移相手段、
を備えたことを特徴とするタグ読み取り装置。
【請求項８】
重ね合わされた複数のタグの少なくとも一つに電力を供給し、該タグから情報を読み取るタグ読み取り装置において、
高周波信号を発生する手段、
該高周波信号が入力され、前記重ね合わされたタグの一方の側から該高周波信号により電磁波を発生する電磁波発生手段、
タグの他方の側に設けられ、前記高周波信号により生じる電磁波を反射し、前記電磁波と反射電磁波を前記重ね合わされたタグ上で干渉させる反射体、
前記反射体を移動させる移動手段、
情報を読み出すタグの位置に応じて、前記反射体の位置を制御する制御手段、
を備えたことを特徴とするタグ読み取り装置。
【請求項９】
重ね合わされた複数のタグの少なくとも一つに電力を供給し、該タグから情報を読み取るタグ読み取り装置において、
高周波信号を発生する手段、
前記高周波信号を分岐する手段、
該分岐した高周波信号がそれぞれ入力され、複数の箇所から該高周波信号により電磁波を発生し、該電磁波をタグ上で干渉させる電磁波発生手段、
前記高周波信号の周波数を任意の低周波数から任意の高周波数まで変更するとき、前記分岐高周波信号間の位相が所要角度回転するように、前記信号分岐点から前記電磁波発生点までの伝播長に差を持たせた伝搬線路、
情報を読み出すタグの位置に応じて前記高周波信号の周波数を制御する制御手段、
を備えたことを特徴とするタグ読み取り装置。
【請求項１０】
重ね合わされた複数のタグの少なくとも一つに電力を供給し、該タグから情報を読み取るタグ読み取り装置において、
前記重ね合せたタグの周囲に設けられ、電磁波を漏洩する伝送線路、
高周波信号を発生する手段、
該高周波信号を分岐し、分岐した各高周波信号を前記伝送線路の両端に入力する手段、
情報を読み出すタグの位置に基づいて前記分岐した高周波信号間の位相差を決定する手段、
該位相差が生じるように少なくとも一方の高周波信号の位相を制御する手段、
を備え、前記伝送線路から電磁波を漏洩して前記タグへの高周波信号による電力供給を行うことを特徴とするタグ読み取り装置。
【発明の詳細な説明】
【技術分野】
【０００１】
本発明は電磁的結合により、アンテナや半導体集積回路を備えた無線情報記憶媒体(無線タグ)に電力を供給し、該無線タグから送信される信号を受信することにより、該タグの認識やタグに記憶されている情報を読み取るタグ読み取り方法および装置に係り、特に、電力供給範囲内において重なった複数の無線タグに電力を供給し、該タグより情報を読み取るタグ読み取り方法及び装置に関する。
【背景技術】
【０００２】
従来、流通業界、運送業界等においては、個々の製品情報を管理する方法として、製品自体あるいは製品の箱にバーコードを印刷あるいは貼付し、このバーコードをバーコードリーダによって読取る方法が広く用いられている。しかし、かかるバーコード処理方法では、バーコードを読取る際、バーコードリーダをバーコードに接触させなければならず、読み取り作業が面倒であった。また従来のバーコード処理方法では、バーコード自体に新たな情報を追加あるいは更新することもできない問題があった。
このため、近年、バーコードに替わって物品等に無線タグをつけ、物品の情報を無線（電磁結合）を使って非接触で読み取ることが要求され、実用化されつつある。無線タグは、ICカードの機能に情報の無線通信機能を追加したもので、情報記録可能な不揮発性メモリを備えているが電池(電源部)を有していない。このため、タグ読み取り装置は無線タグのメモリから情報を非接触で読み取る際、電磁波で無線タグに電力を供給し、該メモリから情報を読み取るようになっている。かかる無線タグによれば、作業性の大幅な向上を図ることができ、しかも、無線タグとの間で認証機能、暗号化等の技術を用いることにより、優れたセキュリティを確保することができる。
【０００３】
図３８は無線タグの説明図であり、読み取り装置１はアンテナ２より送信データで変調した無線信号（電磁波）を無線タグ３に送信する。無線タグ３のアンテナ３ａは受信信号を整流回路３ｂと変復調回路３ｃに入力する。整流回路３ｂは無線信号を直流電圧に変換して変復調回路３ｃと論理回路３ｄに供給し、電源として動作する。変復調回路３ｃは読み取り装置1から送られてきた制御データを復調し、論理回路３ｄに入力する。論理回路３ｄは該制御データ(コマンド)に応じた論理処理を行なって、例えば内蔵のメモリに記憶されている情報を読み取って変復調回路３ｃに入力する。変復調回路３ｃは論理回路から入力された情報を用いて搬送波を変調して無線でアンテナ３ａから読み取り装置1に送信する。
読み取り装置１は、電力供給範囲内に複数の無線タグが存在する場合、アンチコリジョンプロトコルに従って各無線タグから情報を読み取ることができる。アンチコリジョンプロトコルは、色々な方式が提案されており、例えば、ＩＳＯ１８０００の仕様書等に記述されている。
【０００４】
ところで、電力供給範囲内に複数の無線タグが存在しても無線タグが重なって配置されていなければ何ら問題は生じない。しかし、製造現場、自動倉庫、販売現場などで物品を重ねて一度に全タグから情報を読み取る場合が頻繁に発生する。このように物品が重なると複数の無線タグが重なった状態になり、読み取り装置に近い無線タグが該読み取り装置からの電力を受信し、後方の無線タグへ電力が十分供給されない事態が発生する。
また、無線タグは、読み取り装置からの電力を効率よく受信し、読み取り装置と良好に通信をするために無線周波数に合った特性のアンテナを実装している。しかし、複数の無線タグを近接させると、タグ間のアンテナの相互影響により前記無線周波数からずれたアンテナ特性になってしまい、その結果、より一層、供給電力が小さくなり後方の無線タグが動作する電力に達しなくなり、該タグより情報を読み出せなくなる。
【０００５】
この解決方法として、タグケースを用意し、そのタグケース内をアンテナが動くことにより、アンテナが重なることを避け、後方のタグでも電力の供給を受けやすくする方法が提案されている(たとえば、特許文献１参照)。
図３９は従来技術の無線タグの説明図であり、無線タグ５は、コイル状の送受信アンテナ５ａと、基板表面上に実装され、送受信アンテナ５ａに接続された電子部品５ｂから構成されるインレット５ｃ（図中、点線内部）をタグケース６ａの内部に収納して構成されている。このタグケース６ａは内部にインレット収納部６ｂを有しており、その内部直径Ｂがインレット５ｃの直径Ｃよりも十分大きく（Ｂ＞Ｃの関係に）なるよう形成されている。そして、インレット収納部６ｂにインレット５ｃを固定せずに収納することによって、インレット収納部６ｂにおいて収納されたインレット５ｃが位置を特定されずに摺動可能に収納される。かかる構成により、無線タグ５を複数個重ねた状態で読取りまたは書込みを行なっても、送受信アンテナ同士が完全に重ならず、ずれて重なるため、全部の無線タグの送受信アンテナに給電してそれぞれより情報の読取りおよび書込みを行うことが可能となる。
【特許文献１】特開２０００−３３１１３６
【発明の開示】
【発明が解決しようとする課題】
【０００６】
しかしながら、従来技術の無線タグはタグケースを有するため、該タグケースを取り付けることが困難な物品には適用できない問題が生ずる。
以上から、本発明の目的は、無線タグが重ねて置かれても各タグに電力を供給して情報の読み取りを可能にすることである。
本発明の別の目的は、無線タグがタグケースを有してなくても、重ねて置かれた無線タグから情報の読み取りを可能にすることである。
本発明の別の目的は無線タグの適用製品の制約をなくせるようにすることである。
【課題を解決するための手段】
【０００７】
上記課題は、重ね合わされた複数のタグの少なくとも一つに電力を供給し、該タグから情報を読み取る以下の第1〜第６のタグ読み取り方法により達成される。
第１のタグ読み取り方法では、各タグへの高周波信号による電力供給を、複数の箇所から、例えば重ね合わされたタグの両側から高周波信号により電磁波を発生し、該電磁波をタグ上で干渉させることにより行い、情報を読み出すタグの位置に応じて前記高周波信号間の位相を制御する。
第２のタグ読み取り方法では、各タグへの高周波信号による電力供給を重ね合わされたタグの一方の側から行い、タグの他方の側に前記高周波信号により生じる電磁波を反射する反射体を置き、前記電磁波と反射電磁波を前記重ね合わされたタグ上で干渉させ、情報を読み出すタグの位置に応じて、前記反射体の位置を制御する。
【０００８】
第3のタグ読み取り方法では、各タグへの高周波信号による電力供給を重ね合わされたタグの一方の側から行い、タグの他方の側に前記高周波信号により生じる電磁波を反射する反射体を置き、前記電磁波と反射電磁波を前記重ね合わされたタグ上で干渉させ、情報を読み出すタグの位置に応じて、前記反射体の反射率を制御する。
第４のタグ読み取り方法では、タグへの高周波信号による電力供給を、複数の箇所から、例えば重ね合わされたタグの両側から高周波信号により電磁波を発生し、該電磁波をタグ上で干渉させることにより行い、高周波信号を分岐し、分岐点からそれぞれの前記電磁波の発生点までの伝播長に差を持たせ、高周波信号の周波数を任意の低周波数から任意の高周波数まで変更するとき、前記分岐高周波信号間の位相が所要角度回転をするように該差を決定し、情報を読み出すタグの位置に応じて前記高周波信号の周波数を制御する。
【０００９】
第５のタグ読み取り方法では、電磁波を漏洩する伝送線路を重ね合せたタグの周囲に置き、高周波信号を分岐し、分岐した各高周波信号を前記伝送線路の両端に入力して干渉させ、情報を読み出すタグの位置に応じて前記分岐した高周波信号間の位相を制御し、前記伝送線路から電磁波を漏洩して前記タグへの高周波信号による電力供給を行う。
第６のタグ読み取り方法では、電磁波を漏洩する伝送線路を前記重ね合せたタグの周囲に置き、高周波信号を分岐し、分岐した各高周波信号を前記伝送線路の両端に入力して干渉させ、分岐点から伝送線路の両端までの伝播長に差を持たせ、高周波信号の周波数を任意の低周波数から任意の高周波数まで変更するとき、前記分岐高周波信号間の位相が所要角度回転するように該差を決定し、情報を読み出すタグの位置に応じて前記高周波信号の周波数を制御し、前記伝送線路から電磁波を漏洩して前記タグへの高周波信号による電力供給を行う。
【００１０】
上記課題は、重ね合わされた複数のタグの少なくとも一つに電力を供給し、該タグから情報を読み取る以下の第1〜第４のタグ読み取り装置により達成される。
第１のタグ読み取り装置は、高周波信号を発生する手段、該高周波信号がそれぞれ入力され、複数の箇所から、例えば重ね合わされたタグの両側から該高周波信号により電磁波を発生し、該電磁波をタグ上で干渉させる電磁波発生手段、情報を読み出すタグの位置に応じて前記高周波信号間の位相差を決定する手段、該位相差が生じるように少なくとも一方の高周波信号の位相を制御する移相手段、を備えている。
第２のタグ読み取り装置は、高周波信号を発生する手段、該高周波信号が入力され、重ね合わされたタグの一方の側から該高周波信号により電磁波を発生する電磁波発生手段、タグの他方の側に設けられ、前記高周波信号により生じる電磁波を反射し、前記電磁波と反射電磁波を前記重ね合わされたタグ上で干渉させる反射体、前記反射体を移動させる移動手段、情報を読み出すタグの位置に応じて、前記反射体の位置を制御する制御手段、
を備えている。
【００１１】
第３のタグ読み取り装置は、高周波信号を発生する手段、前記高周波信号を分岐する手段、該分岐した高周波信号がそれぞれ入力され、複数の箇所から、例えば重ね合わされたタグの両側から該高周波信号により電磁波を発生し、該電磁波をタグ上で干渉させる電磁波発生手段、前記高周波信号の周波数を任意の低周波数から任意の高周波数まで変更するとき、前記分岐高周波信号間の位相が所要角度回転するように、前記信号分岐点から前記電磁波発生点までの伝播長に差を持たせた伝搬線路、情報を読み出すタグの位置に応じて前記高周波信号の周波数を制御する制御手段、を備えている。
第４のタグ読み取り装置は、重ね合せたタグの周囲に設けられ、電磁波を漏洩する伝送線路、高周波信号を発生する手段、該高周波信号を分岐し、分岐した各高周波信号を前記伝送線路の両端に入力する手段、情報を読み出すタグの位置に基づいて前記分岐した高周波信号間の位相差を決定する手段、該位相差が生じるように少なくとも一方の高周波信号の位相を制御する手段、を備え、前記伝送線路から電磁波を漏洩して前記タグへの高周波信号による電力供給を行う。
【発明の効果】
【００１２】
本発明のタグ読み取り方法およびタグ読み取り装置によれば、無線タグが重ねて置かれても各タグに電力を供給でき、各タグから情報の読み取りが可能となる。また、本発明のタグ読み取り方法およびタグ読み取り装置によれば、無線タグがタグケースに収納されていなくても重ねて置かれた無線タグから情報の読み取りができ、無線タグの適用製品の制約をなくすことができる。
【発明を実施するための最良の形態】
【００１３】
本発明は、重ね合わされた複数のタグの少なくとも一つに電力を供給し、該タグから情報を読み取るタグ読み取り装置であり、高周波信号を発生する手段、該高周波信号がそれぞれ入力され、重ね合わされたタグの両側から該高周波信号により電磁波を発生し、該電磁波をタグ上で干渉させる電磁波発生手段(アンテナ)、情報を読み出すタグの位置に応じて前記タグの両側に設けられた電磁波発生手段に供給する高周波信号間の位相差を決定する手段、該位相差が生じるように少なくとも一方の高周波信号の位相を制御する移相手段、を備えている。
このタグ読み取り装置では、各タグへの高周波信号による電力供給を、重ね合わされたタグの両側から高周波信号により電磁波を発生し、該電磁波をタグ上で干渉させることにより行い、情報を読み出すタグの位置に応じて高周波信号間の位相を制御する。
【実施例１】
【００１４】
図１は本発明の第1実施例の説明図である。読取制御部１１は、物品に貼り付け、あるいは埋め込んだ無線タグから情報を読み取る際、読み取り制御データでキャリアを変調し、しかる後、高周波信号に周波数変換してハイブリッド１２に入力する。また、読取制御部１１は無線タグが貼り付けられた物品G１〜Ｇｎのどの物品のタグから情報を読み出すかに基づいて、すなわち、情報を読み出すべきタグ(読取対象タグ)の位置に基づいて高周波信号のシフト位相量θを決定して移相器１３に入力する。このθは読取対象タグに大きな電力を供給可能な位相である。アンテナ１４，１５は、無線タグが貼り付けられた物品Ｇｉ（ｉ＝１〜ｎ）が複数重ね合わされた物品群を両側から挟むように配置されている。
ハイブリッド１２は入力された高周波信号を2つに分岐し、一方の高周波信号を物品群の一端に配置されたアンテナ１４に入力し、他方の高周波信号を移相器１３に入力する。移相器１３は読取制御部１１から指示された位相分（＝θ）、高周波信号の位相をシフトして物品群の他端に配置されたアンテナ１５に入力する。以上により、各アンテナから他方のアンテナに向かって電磁波が進行し、タグ上で干渉して定在波を生じる。
【００１５】
アンテナ間隔をｄ、アンテナ１４から読取対象タグまでの距離をｒ、アンテナ１４，１５に入力する高周波信号の位相差をθとすると、距離ｒの位置における電力は、簡単にするため空間での損失がないものと仮定すれば、入力電力の
【数１】
2005184318.tif 000003
倍になる。距離ｒの位置の定在波を大きくするためには距離ｒのときに(1)式
を最大にするようθを決めればよい。(1)式を最大にするθを求めると
【数２】
2005184318.tif 000004
となるので(2)式に従ってθを制御すればよい。
【００１６】
図２は、高周波信号の波長を１０ｃｍ、アンテナ間隔を２０ｃｍとした時の、距離ｒにおける位置の電力Ｐを、位相差θを０から３００度まで、６０度ステップで変化させた場合の特性曲線（Ｐ−ｒ曲線）である。位相差θを大きくするにつれて電力Ｐが最大となるピーク点が右側にシフトして行くことがわかる。すなわち、所定の位相差θに対して限られたタグだけに電力が供給されていることが分かる。そこで、予め、図３に示すように位相差θと電力ピーク点までの距離ｒ（cm）の対応を計算してテーブル化して読取制御部１１に持たせておく。読取制御部１１は読取対象タグまでの距離ｒに応じた位相差θをテーブルより求めて移相器１３に設定する。これにより読取対象タグに電力を効率よく供給することができると共に制御データを確実に読取対象タグに送ることができる。また、読取対象タグのメモリから読み取った情報で変調された高周波信号はアンテナ１４，１５→ハイブリッド１２を介して読取制御部１１に入力される。以上において、図3のテーブルはθが６０0間隔で作成されているが、もっときめこまかく位相を変えてテーブル化することもできる。又、読取対象タグが何番目のタグかに対応させてθをテーブル化することもできる。
【００１７】
図4は第1実施例のタグ読取装置を備えたシステムの全体図であり、読取装置１０はパソコン２０からの指示に従って物品Ｇｉ(例えばコンパクトディスク)に貼り付けた無線タグから情報を読み取り、該読み取った情報をパソコン２０に入力する。無線タグRFTGは回路的に図３８で説明した構成を備え、一例として図５に示すようにコンパクトディスクＣＤの孔の周囲にアンテナＡＮＴやチップＣＨＰが貼り付けられている。
図6は図4のタグ読取装置１０の回路構成図であり、読取制御部１１、ハイブリッド１２、移相器１３で構成されている。制御部１１ａは、パソコン２０からの制御信号により無線仕様（プロトコル）に従った制御を行う。例えば、制御部１１ａは、アンチコリジョン制御、タグＩＤ読み取り制御、プロトコルを行うためのデータ送受信制御、位相制御等を行う。変調部１１ｂは送信データでキャリアを変調し、該変調されたキャリア信号を高周波信号に周波数変換し、増幅器１１ｃは該高周波信号を増幅してハイブリッド１２の第1の方向結合器１２ａに入力する。方向性結合器１２ａは、高周波信号をアンテナ側（方向性結合器１２ｂ）に出力し、方向性結合器１２ｂは入力した高周波信号を2分岐してアンテナ１４と移相器１３に入力する。移相器１３は制御部１１ａから指示された位相分(=θ)、高周波信号の位相をシフトしてアンテナ15に入力する。一方、無線タグから送信された高周波信号はアンテナ１４，１５に受信され、方向結合器１２ｂ，１２ａを介して復調部１１ｄに入力する。復調部１１ｄは無線タグから読み取った情報を復調して制御部１１ａに入力する。
なお、方向性結合器１２ａは送信信号が復調部１１ｄに出力される電力を抑制する。また、方向性結合器１２ｂは、アンテナ１４からアンテナ１５に出力される電力を抑えると共に、アンテナ１５からアンテナ１４に出力される電力を抑える。
【００１８】
図７は、物品群の周囲を金属筐体ＭＴＣで囲った場合の第1の例である。自由空間では、電磁波は高周波出力源（アンテナ１４，１５）から離れるに従って減衰する。図７の様に回りを金属で覆うことにより、減衰を抑えることができる。これは、導波管の理論を利用したものである。図８は、物品群の周囲を金属筐体ＭＴＣで囲った場合の第２の例で、金属筐体ＭＴＣの側面に電波吸収帯ＥＷＡを設けて、側面からの不要な反射を抑えるようにしている。
図９は金属筐体ＭＴＣの内部への電力供給方法の説明図であり、図９（ａ）に示すように金属筐体上部(あるいは下部)より線状アンテナで給電する方法、図９（ｂ）に示すように金属筐体側面より、線状、ループ状のアンテナで給電する方法、図９（ｃ）に示すように線状のアンテナの先端を外部の筐体に接続する方法など、種々の方法がある。
【００１９】
図１０は線状アンテナとループ状アンテナの説明図で、線状アンテナは（ａ）に示すように同軸ケーブルＡＸＣの中心導体CLを線状にむき出して形成し、ループ状のアンテナは（ｂ）に示すように同軸ケーブルＡＸＣの中心導体CLをむき出してループを形成して先端を外部導体に接続して形成する。図１１は図１０に示す線状アンテナとループ状アンテナの金属筐体への取付け例であり、（ａ）は筐体下部より取り付ける場合、（ｂ）、（ｃ）は筐体側面から取り付ける場合の説明図である。
以上のように第1実施例によれば、重ね合わされたタグの両側から高周波信号により電磁波を発生し、該電磁波をタグ上で干渉させることにより各タグへ電力を供給し、かつ、情報を読み出すタグの位置に応じて高周波信号間の位相を制御するように構成したから、情報読取対象の無線タグに電力を効率よく供給でき、無線タグとタグ読取装置間で情報の送受を確実に行なえるようになった。
【実施例２】
【００２０】
図１２は本発明の第2実施例の説明図であり、図１の第1実施例と同一部分には同一符号を振っている。図1の第1実施例と異なる点は移相器１３、アンテナ１５が削除され、替わってアンテナ１４から出された電磁波を反射する反射器２１および該反射器を移動する移動機構２２が設けられている点である。この反射器２１は移動機構２２の制御で長さｄ2の距離を動くようになっている。
読取制御部１１は、物品に貼り付け、あるいは埋め込んだ無線タグから情報を読み取る際、読み取り制御データでキャリアを変調し、しかる後、高周波信号に周波数変換してハイブリッド１２に入力する。また、読取制御部１１は無線タグが貼り付けられた物品G１〜Ｇｎのどの物品のタグから情報を読み出すかに基づいて、すなわち、情報を読み出すべきタグ位置に基づいて反射器２１の移動量ｄ2を決定して移動機構２２に入力する。この移動量ｄ2は後述するように読取対象タグに大きな電力を供給可能な距離である。アンテナ１４および反射器２１は、無線タグが貼り付けられた物品Ｇｉ（ｉ＝１〜ｎ）が複数重ね合わされた物品群を両側から挟むように配置されている。
【００２１】
ハイブリッド１２は入力された高周波信号を物品群の一端に配置されたアンテナ１４に入力する。移動機構２２は読取制御部１１から指示された移動量ｄ2だけ反射器２１を移動する。以上により、アンテナ１４から発生した電磁波が反射器２１に向かって進行し、該反射器で反射する。しかる後、アンテナ１４から発生した電磁波と反射器２１で反射した電磁波がタグ上で干渉して定在波を生じる。
【００２２】
アンテナ１４と反射器２１の距離は、
ｄ＋ｄ2
アンテナ１４から情報読み出しすべき無線タグまでの距離をｒとすると、ｒのところの電力は、簡単にするため空間での損失をないものとすれば、入力電力の
【数３】
2005184318.tif 000005
倍になる。距離ｒの位置の定在波を大きくするためには距離ｒのときに(3)式を最大にするようｄ2を決めればよい。(3)式を最大にするｄ2を求めると
【数４】
2005184318.tif 000006
となるので(4)式に従い制御すればよい。
【００２３】
図１３は、高周波信号の波長を１０ｃｍ、アンテナ間隔を２０ｃｍとした時の、距離ｒの位置の電力Ｐをｄ2＝０から４ｃｍまで、１ｃｍステップで変えた場合の特性曲線（Ｐ−ｒ曲線）である。移動距離ｄ2を大きくするにつれて電力Ｐが最大となるピーク点が右側にシフトして行くことがわかる。すなわち、所定の移動距離ｄ2に対して限られたタグだけに電力が供給されていることが分かる。そこで、予め、図１４に示すように移動距離ｄ2と電力ピーク点までの距離ｒ（cm）の対応を計算してテーブル化して読取制御部１１に持たせておく。読取制御部１１は読取対象タグまでの距離ｒに応じた移動距離ｄ2をテーブルより求めて移動機構２２に設定する。これにより読取対象タグに電力を効率よく供給することができると共に制御データを確実に読取対象タグに送ることができる。また、読取対象タグのメモリから読み取った情報で変調された高周波信号はアンテナ１４→ハイブリッド１２を介して読取制御部１１に入力される。なお、図１４のテーブルはｄ2を1cm間隔で移動して作成されているが、もっと極め細かく移動距離を変えてテーブル化する
こともできる。又、読取対象タグが何番目のタグかに対応させて移動距離ｄ2をテーブル化することもできる。
【００２４】
図１５は第2実施例のタグ読取装置を備えたシステムの全体図であり、読取装置１０はパソコン２０からの指示に従って物品Ｇｉ(例えばコンパクトディスク)に貼り付けた無線タグから情報を読み取り、該読み取った情報をパソコン２０に入力する。なお、図1２と同一部分には同一符号を付している。移動機構２２は、詳細に図示しないが周知の1軸位置決め機構、例えば、反射器搭載テーブル、該テーブルをアンテナ１４方向に移動案内する駆動軸、該駆動軸を回転するモータ等で構成されている。
【００２５】
図１6は図１５のタグ読取装置１０の回路構成図であり、読取制御部１１、ハイブリッド１２で構成されている。制御部１１ａは、パソコン２０からの制御信号によりアンチコリジョン制御、タグＩＤ読み取り制御、プロトコルを行うためのデータ送受信制御、移動機構の移動量制御等を行う。変調部１１ｂは送信データでキャリアを変調し、変調されたキャリア信号を高周波信号に周波数変換し、増幅器１１ｃは該高周波信号を増幅してハイブリッド１２の方向結合器１２ａに入力する。方向性結合器１２ａは入力した高該周波信号をアンテナ１４に入力する。移動機構22は制御部１１ａからの指令に基づいて移動量ｄ２だけ反射器２１を移動する。
一方、無線タグから送信された高周波信号はアンテナ１４に受信され、方向結合器１２ａを介して復調部１１ｄに入力する。復調部１１ｄは無線タグから読み取った情報を復調して制御部１１ａに入力する。
【００２６】
以上では物品群の周囲を金属筐体で囲わなかったが図７、図８に示すように金属筐体ＭＴＣで物品群を囲うように構成することができる。
第2実施例によれば、各タグへの高周波信号による電力供給を重ね合わされたタグの一方の側から行い、タグの他方の側に前記高周波信号により生じる電磁波を反射する反射体を置き、前記電磁波と反射電磁波を前記重ね合わされたタグ上で干渉させ、情報を読み出すタグの位置に応じて、前記反射体の位置を制御するように構成したから、情報読取対象の無線タグに電力を効率よく供給でき、無線タグとタグ読取装置間で情報の送受を確実に行なえるようになった。
【実施例３】
【００２７】
図１７は本発明の第３実施例のタグ読取装置を備えたシステムの全体図、図18は図１７のタグ読取装置１０の回路構成図であり、図１５、図１６の第2実施例と同一部部分には同一符号を付している。異なる点は、反射器２１を移動する移動機構22を削除し、替わって反射器の反射率を変更する反射率変更回路３１を設け、制御部１１ａが情報を読み取るべき無線タグの位置に基づいて反射率を決定し、反射率制御信号ＲＦＣＴを反射率変更回路３１に入力する点である。
制御部１１ａは、パソコン２０からの制御信号によりアンチコリジョン制御、タグＩＤ読み取り制御、プロトコルに従った制御を行うためのデータ送受信制御、反射率変更回路３１の反射率制御を行う。変調部１１ｂは送信データでキャリアを変調し、変調されたキャリア信号を高周波信号に周波数変換し、増幅器１１ｃは該高周波信号を増幅してハイブリッド１２の方向結合器１２ａに入力する。方向性結合器１２ａは入力した高該周波信号をアンテナ１４に入力する。反射率変更回路３１は制御部１１ａからの指令に基づいて反射器２１の反射率を制御する。
一方、無線タグから送信された高周波信号はアンテナ１４に受信され、方向結合器１２ａを介して復調部１１ｄに入力する。復調部１１ｄは無線タグから読み取った情報を復調して制御部１１ａに入力する。
【００２８】
図１９は反射器(反射板)２１と反射率変更回路３１の構成例であり、反射器２１は板状アンテナ構造を備え、反射率制御回路３１はスイッチＳＷ１，ＳＷ２と多数のリラクタンス素子ＲＬ１〜ＲＬｎを備え、制御部１１ａからの反射率制御信号ＲＦＣＴに基づいてスイッチＳＷ１，ＳＷ２により所定のリアクタンス素子ＲＬｉを反射器（反射板）２１に接続するように動作する。
アンテナ１４からの距離ｒにおける電力は(1)式で表現でき、この距離ｒの位置における定在波を大きくするためには、(1)式が最大となるようにθを決めればよく、(2)式に従って反射率を制御すれば良い。
【００２９】
反射板２１に図１９の反射率変更回路３１を接続した場合、インピーダンスの実部は理想的には０になり、反射係数の大きさは１（全反射）となり、位相θは次式、
【数５】
2005184318.tif 000007
で与えられる。ただし、Ｘは規格化したリアクタンスである。
従って、図３のrとθの関係から(5)式を満たすリラクタンスＸ（ＬまたはＣ）を決定し、θ−ｒの替わりにＸとｒの対応テーブルを制御部１１ａに持たせれば良い。図２０は周波数１ＧＨｚの時のθとＬ、Ｃの値であり、Ｒは特性インピーダンスである。
なお、もっと極め細かくＸ値を変えてテーブル化することもできる。又、読取対象タグが何番目のタグかに対応させてリラクタンス値(リラクタンス素子)をテーブル化することもできる。
【００３０】
以上では物品群の周囲を金属筐体で囲わなかったが図７、図８に示すように金属筐体ＭＴＣで物品群を囲うように構成することができる。
以上、第3実施例によれば、各タグへの高周波信号による電力供給を前記重ね合わされたタグの一方の側から行い、タグの他方の側に前記高周波信号により生じる電磁波を反射する反射体を置き、前記電磁波と反射電磁波を前記重ね合わされたタグ上で干渉させ、情報を読み出すタグの位置に応じて、反射体の反射率を制御するように構成したから、情報読取対象の無線タグに電力を効率よく供給でき、無線タグとタグ読取装置間で情報の送受を確実に行なえるようになった。
【実施例４】
【００３１】
図２１は本発明の第４実施例の説明図であり、図１の第1実施例と同一部分には同一符号を振っている。図1の第1実施例と異なる点は移相器１３が削除され、替わって線路長を調整する長さd3の同軸ケーブル４１がハイブリッド１２とアンテナ１５間に挿入されている点である。第1実施例では移相器１３でアンテナ１４，１５に入力する高周波信号間に位相差をつけたが、第4実施例ではハイブリッド(分岐点)からアンテナまでの伝送線路長に差を持たせ、該差により位相差を発生し、かつ高周波信号の周波数を変えて位相差を調整、制御する。
読取制御部１１は、物品に貼り付け、あるいは埋め込んだ無線タグから情報を読み取る際、読み取り制御データでキャリアを変調し、しかる後、高周波信号に周波数変換してハイブリッド１２に入力する。また、読取制御部１１は無線タグが貼り付けられた物品G１〜Ｇｎのどの物品のタグから情報を読み出すかに基づいて、すなわち、情報を読み出すべきタグ位置に基づいて高周波信号の周波数を切り替える。この周波数は後述するように読取対象タグに大きな電力を供給可能な値である。アンテナ１４，１５は、無線タグが貼り付けられた物品Ｇｉ（ｉ＝１〜ｎ）が複数重ね合わされた物品群を両側から挟むように配置されている。
【００３２】
ハイブリッド１２は入力された高周波信号を2つに分岐し、一方の高周波信号を物品群の一端に配置されたアンテナ１４に入力し、他方の高周波信号を、同軸ケーブル４１を介してアンテナ１５に入力し、アンテナ１４，１５に入力する高周波信号間に位相差θを持たせる。以上により、各アンテナから他方のアンテナに向かって電磁波が進行し、タグ上で干渉して定在波を生じる。
アンテナ間隔をｄ、アンテナ１４から読取対象タグまでの距離をｒ、アンテナ１４，１５に入力する高周波信号の位相差をθとすると、距離ｒの位置における電力は(1)式で表現され、距離ｒの位置における定在波を大きくするために位相差θが(2)式となるように制御すれば良い。
【００３３】
同軸ケーブル４１の長さｄ3を
【数６】
2005184318.tif 000008
とする。ただし、読取装置１１が設定できる高周波信号の周波数範囲はfmin〜fmax（波長範囲はλmax〜λmin）でであるとする。(2)式を満足するθに応じた波長λ(周波数)を決めればよいから、(2)式と(6)式よりλを求めると
【数７】
2005184318.tif 000009
となる（ｎ＝正整数）。したがって、(7)式に従って高周波信号の波長λ(あるいは周波数)を制御すればよい。
【００３４】
図２２は、ｄ3=７５cm、ｆ=１GHzの時の波長を３０ｃｍとし、高周波信号の周波数を1GHzから1.4GHzまで、0.1GHzステップで5段階変化させた場合の距離ｒの位置における電力Ｐを示す特性曲線（Ｐ−ｒ曲線）である。周波数を小さくするにつれて電力Ｐが最大となるピーク点が右側にシフトして行くころがわかる。すなわち、所定の高周波信号の周波数に対して限られたタグだけに電力が供給されていることが分かる。そこで、予め、図２３に示すように周波数ｆと電力ピーク点までの距離ｒ（cm）の対応を計算してテーブル化して読取制御部１１に持たせておく。読取制御部１１は読取対象タグまでの距離ｒに応じた周波数をテーブルより求めて周波数変換する。これにより読取対象タグに電力を効率よく供給することができると共に制御データを確実に読取対象タグに送ることができる。また、読取対象タグから読み取った情報で変調され高周波信号はアンテナ１４，１５→ハイブリッド１２を介して読取制御部１１に入力される。なお、図２3のテーブルは周波数が0.1GHz間隔で作成されているが、もっと極め細かく周波数を変えてテーブル化することもできる。又、読取対象タグが何番目のタグかに対応させて周波数をテーブル化することもできる。
【００３５】
図２4は第４実施例のタグ読取装置を備えたシステムの全体図であり、読取装置１０はパソコン２０からの指示に従って物品Ｇｉ(例えばコンパクトディスク)に貼り付けた無線タグから情報を読み取り、該読み取った情報をパソコン２０に入力する。
図２５は図２4のタグ読取装置１０の回路構成図であり、読取制御部１１、ハイブリッド１２で構成されている。制御部１１ａは、パソコン２０からの制御信号によりアンチコリジョン制御、タグＩＤ読み取り制御、プロトコルを行うためのデータ送受信制御、周波数制御等を行う。変調部１１ｂは送信データでキャリアを変調し、該変調信号を制御部１１ａから指示された周波数の高周波信号に周波数変換し、増幅器１１ｃは該高周波信号を増幅してハイブリッド１２の第1の方向結合器１２ａに入力する。方向性結合器１２ａは、高周波信号をアンテナ側（方向性結合器１２ｂ）に出力し、方向性結合器１２ｂは入力した高周波信号を2分岐してアンテナ１４に入力すると共に、同軸ケーブル４１を介して位相差θをつけてアンテナ１５に入力する。一方、無線タグから送信された高周波信号はアンテナ１４，１５に受信され、方向結合器１２ｂ，１２ａを介して復調部１１ｄに入力する。復調部１１ｄは無線タグから読み取った情報を復調して制御部１１ａに入力する。
【００３６】
以上では物品群の周囲を金属筐体で囲わなかったが図７、図８に示すように金属筐体ＭＴＣで物品群を囲うように構成することができる。
第４実施例によれば、タグへの高周波信号による電力供給を、重ね合わされたタグの両側から高周波信号により電磁波を発生し、該電磁波をタグ上で干渉させることにより行い、高周波信号を分岐し、分岐点からそれぞれの前記電磁波の発生点までの伝播長に差d3を持たせ、高周波信号の周波数を任意の低周波数fminから任意の高周波数fmaxまで変更するとき、前記分岐高周波信号間の位相θが所要角度回転をするように該差d3を決定し、情報を読み出すタグの位置に応じて前記高周波信号の周波数を制御するように構成したから、情報読取対象の無線タグに電力を効率よく供給でき、無線タグとタグ読取装置間で情報の送受を確実に行なえるようになった。
【実施例５】
【００３７】
図２６は第5実施例の説明図であり、図１の第1実施例と同一部分には同一符号を付している。図1の第1実施例と異なる点は、(1)アンテナ１４，１５を削除し、替わって電磁波を漏洩する長さｄの伝送線路(漏洩同軸ケブル)５１を物品Ｇｉ（ｉ＝１〜ｎ）の重ね合せ方向に平行に配置した点、(2)漏洩同軸ケブル５１の両端に互いに位相差θをつけられた高周波信号を入力してケブル内で干渉させて定在波を発生し、該漏洩同軸ケブルから電磁波を漏洩して無線タグへ電力供給を行う点である。
定在波が発生する原理は第1実施例と同じで、(1)、(2)式が成立する。読取制御部１１は、第1実施例と同様に情報読み出しすべき無線タグの位置に基づいて位相シフト量θを決定して移相器１３に指示する。
【００３８】
漏洩同軸ケーブル５１は一般に市販されているものであり、図２７に示すように同軸ケーブルの外部導体ETCにスリットＳＬを所定間隔で開け、同軸ケーブルの内部導体ＩＮＣの両側から入力する高周波信号をケーブル内で干渉させて定在波を発生し、該定在波(電磁波)の一部をスリットＳＬから放射して無線タグに照射するものである。図２７にはスリットＳＬから電磁波が放射して重ね合わされた物品G1〜Gnに貼り付けた無線タグへ照射する様子を示している。
図２８は漏洩同軸ケブル５１の配置例であり、（ａ）は物品Ｇｉに形成されている穴に貫通して配置した例、（ｂ）は物品Ｇｉの外側近傍に平行して配置した例、（ｃ）は金属ケース内で物品Ｇｉに形成されている穴に貫通して配置する例である。
図２９は第５実施例のタグ読取装置を備えたシステムの全体図であり、読取装置１０はパソコン２０からの指示に従って物品Ｇｉ(例えばコンパクトディスク)に貼り付けた無線タグから情報を読み取り、該読み取った情報をパソコン２０に入力する。読取装置１０は図６の第1実施例と同様の構成を有している。
【００３９】
・変形例
図３０は第５実施例の変形例における全体のシステム構成図であり、第5実施例と同一部分には同一符号を付している。異なる点は、漏洩同軸ケーブル５１の替わりに平行ケーブル５２を用い、物品の片側から該ケーブルの両端に高周波信号を入力している点である。平行ケーブル５２は図３１に示すように、互いに平行に配置された平行線５２ａと同軸ケーブル５２ｂと結合コイル５２ｃとで構成されている。平行線(同軸ケーブルの外部導体) ５２ａを結合コイル５２ｃの一次側コイルに接続し、同軸ケーブル５２ｂの内部導体を結合コイル５２ｃの二次側コイルに接続し、一次側、二次側コイルの他端を同軸ケーブル５２ｂの外部導体に接続し、平行線５２ａの外部導体Ａ端及び同軸ケーブル５２ｂの内部導体Ｂ端から高周波信号を印加する。
【００４０】
図３２は、図３１の平行ケーブルから定在波が発生する原理を説明するための平行ケーブル５２の等化回路であり、回路Ａは図３１のＡ端入力の高周波信号源、平行線５２ａ、結合コイル５２cの一次側コイルで構成され、回路Ｂは図３１のＢ端入力の高周波信号源、同軸ケーブル５２ａ、結合コイル５２cの二次側コイルで構成されている。
回路ＡはコイルＡにてコイルＢと結合して回路Ｂと接続される。回路ＢはコイルＢにてコイルＡと結合して回路Ａと接続される。かかるコイルの結合により、回路Ａ、回路Ｂが相互に接続されるので、回路Ａ、回路Ｂともに、発信器Ａ，Ｂの高周波信号が図中矢印で示すように合成されるので、干渉をおこし定在波が生じる。
以上より、平行ケーブル５２(図３１)のＡ端子を読取装置１０（図３０）の高周波信号出力端子Ａに接続し、平行ケーブル５２のＢ端子を読取装置１０の移相器出力端子Ｂに接続すれば、第5実施例と同様な動作をする。なお、コイルＡ，Ｂはそれぞれ、平行線（回路Ａ）、同軸ケーブル（回路Ｂ）を平行線の特性インピーダンス、同軸ケーブルの特性インピーダンスで終端させているものとする。
【００４１】
第５実施例によれば、電磁波を漏洩する伝送線路を重ね合せたタグの周囲に置き、高周波信号を分岐し、分岐した各高周波信号を前記伝送線路の両端に入力して干渉させ、情報を読み出すタグの位置に応じて分岐した高周波信号間の位相を制御し、漏洩伝送線路から電磁波を漏洩してタグへの高周波信号による電力供給を行うように構成したから、情報読取対象の無線タグに電力を効率よく供給でき、無線タグとタグ読取装置間で情報の送受を確実に行なえるようになった。
【実施例６】
【００４２】
図３３は第6実施例の説明図、図３４は全体のシステム構成図であり、第5実施例(図２６、図２９)と同一部分には同一符号を付している。第5実施例と異なる点は、移相器１３を削除し、替わって反射率変更回路６１を漏洩同軸ケブル５１の他端に接続し、読取制御部１１が情報を読み取るべき無線タグの位置に基づいて反射率を求め、反射率制御信号ＲＦＣＴを反射率変更回路６１に入力する点である。なお、図３４の読取装置１０は図１８と同一構成を有している。
図３５はに漏洩同軸ケブル５１に反射率変更回路６１を接続した例で、反射率変更回路６１はスイッチＳＷ１，ＳＷ２と値の異なる複数のリラクタンス素子ＲＬｉで構成されている。
【００４３】
定在波が発生する原理は第５実施例と同じで、(1)、(2)式が成立する。すなわち、アンテナ１４からの距離ｒにおける電力は(1)式で表現でき、この距離ｒの位置における定在波を大きくするためには、(1)式が最大となるようにθを決めればよく、(2)式に従って反射率を制御すれば良い。漏洩同軸ケーブル５１に図３５に示す反射率変更回路６１を接続した場合、インピーダンスの実部は０になり、反射係数の大きさは１（全反射）となり、位相差θは(5)式で与えられる。
従って、第1実施例において図３で求めたrとθの関係から(5)式を満たすリラクタンスＸ（ＬまたはＣ）を決定し、θ−ｒの替わりにＸとｒの対応テーブルを読取制御部１１に持たせれば良い。なお、極め細かくＸ値を変えてテーブル化することもできる。又、読取対象タグが何番目のタグかに対応させてリラクタンス値(リラクタンス素子)をテーブル化することもできる。
【００４４】
第６実施例によれば、電磁波を漏洩する伝送線路を重ね合せたタグの周囲に置き、高周波信号を前記伝送線路の一端に入力し、前記伝送線路の他端に該高周波信号を反射する反射回路を接続し、情報を読み出すタグの位置に応じて反射回路の反射率を制御し、前記高周波信号と反射高周波信を干渉し、前記伝送線路から電磁波を漏洩して所望のタグへの高周波信号による電力供給を行うように構成したから、情報読取対象の無線タグに電力を効率よく供給でき、無線タグとタグ読取装置間で情報の送受を確実に行なえるようになった。
【実施例７】
【００４５】
図３６は第７実施例の説明図、図３７が全体のシステム構成図であり、第５実施例と同一部分には同一符号を付している。第5実施例と異なる点は、移相器１３を削除し、替わって線路長を調整する長さd3の同軸ケーブル７１がハイブリッド１２と漏洩同軸ケーブル５１の端部間に挿入されている点である。第５実施例では移相器１３で位相差を漏洩同軸ケーブル５１の両端に入力する高周波信号間につけたが、第７実施例ではハイブリッド(分岐点)１２から漏洩同軸ケーブル５１の両端までの伝送線路長に差を持たせ、該差により位相差を発生し、かつ高周波信号の周波数を変えて位相差を調整、制御する。位相制御の方法は第４実施例と同じである。
【００４６】
第７実施例によれば、電磁波を漏洩する伝送線路を重ね合せたタグの周囲に置き、高周波信号を分岐し、分岐した各高周波信号を前記伝送線路の両端に入力して干渉させ、分岐点から伝送線路の両端までの伝播長に差を持たせ、高周波信号の周波数を任意の低周波数から任意の高周波数まで変更するとき、前記分岐高周波信号間の位相が所要角度回転するように該差を決定し、情報を読み出すタグの位置に応じて前記高周波信号の周波数を制御し、前記伝送線路から電磁波を漏洩して前記タグへの高周波信号による電力供給を行う構成したから、情報読取対象の無線タグに電力を効率よく供給でき、無線タグとタグ読取装置間で情報の送受を確実に行なえるようになった。
【００４７】
・付記
（付記１） 重ね合わされた複数のタグの少なくとも一つに電力を供給し、該タグから情報を読み取るタグ読み取り方法において、
各タグへの高周波信号による電力供給を、複数の箇所から高周波信号により電磁波を発生し、該電磁波をタグ上で干渉させることにより行い、
情報を読み出すタグの位置に応じて前記高周波信号間の位相を制御する、
ことを特徴とするタグ読み取り方法。      
（付記２） 前記重ね合わされたタグの両側から高周波信号により電磁波を発生し、該電磁波をタグ上で干渉させる、
ことを特徴とする付記1記載のタグ読み取り方法。
（付記３） 重ね合わされた複数のタグの少なくとも一つに電力を供給し、該タグから情報を読み取るタグ読み取り方法において、
各タグへの高周波信号による電力供給を前記重ね合わされたタグの一方の側から行い、
タグの他方の側に前記高周波信号により生じる電磁波を反射する反射体を置き、
前記電磁波と反射電磁波を前記重ね合わされたタグ上で干渉させ、
情報を読み出すタグの位置に応じて、前記反射体の位置を制御する、
ことを特徴とするタグ読み取り方法。      
（付記４） 重ね合わされた複数のタグの少なくとも一つに電力を供給し、該タグから情報を読み取るタグ読み取り方法において、
各タグへの高周波信号による電力供給を前記重ね合わされたタグの一方の側から行い、
タグの他方の側に前記高周波信号により生じる電磁波を反射する反射体を置き、
前記電磁波と反射電磁波を前記重ね合わされたタグ上で干渉させ、
情報を読み出すタグの位置に応じて、前記反射体の反射率を制御する、
ことを特徴とするタグ読み取り方法。      
（付記５） 重ね合わされた複数のタグの少なくとも一つに電力を供給し、該タグから情報を読み取るタグ読み取り方法において、
タグへの高周波信号による電力供給を、複数の箇所から高周波信号により電磁波を発生し、該電磁波をタグ上で干渉させることにより行い、
高周波信号を分岐し、分岐点からそれぞれの前記電磁波の発生点までの伝播長に差を持たせ、高周波信号の周波数を任意の低周波数から任意の高周波数まで変更するとき、前記分岐高周波信号間の位相が所要角度回転をするように該差を決定し、
情報を読み出すタグの位置に応じて前記高周波信号の周波数を制御する、
ことを特徴とするタグ読み取り方法。      
（付記６） 前記重ね合わされたタグの両側から高周波信号により電磁波を発生し、該電磁波をタグ上で干渉させる、
ことを特徴とする付記５記載のタグ読み取り方法。
（付記７） 前記重ね合わされた複数のタグの周囲を金属体で囲む、
ことを特徴とする付記１乃至６記載のタグ読み取り方法
（付記８） 重ね合わされた複数のタグの少なくとも一つに電力を供給し、該タグから情報を読み取るタグ読み取り方法において、
電磁波を漏洩する伝送線路を前記重ね合せたタグの周囲に置き、
高周波信号を分岐し、分岐した各高周波信号を前記伝送線路の両端に入力して干渉させ、
情報を読み出すタグの位置に応じて前記分岐した高周波信号間の位相を制御し、
前記伝送線路から電磁波を漏洩して前記タグへの高周波信号による電力供給を行う、
ことを特徴とするタグ読み取り方法。      
（付記９） 重ね合わされた複数のタグの少なくとも一つに電力を供給し、該タグから情報を読み取るタグ読み取り方法において、
電磁波を漏洩する伝送線路を前記重ね合せたタグの周囲に置き、
高周波信号を前記伝送線路の一端に入力し、前記伝送線路の他端に該高周波信号を反射する反射回路を接続し、
情報を読み出すタグの位置に応じて前記反射回路の反射率を制御し、
前記高周波信号と反射高周波信を干渉し、前記伝送線路から電磁波を漏洩して前記タグへの高周波信号による電力供給を行う、
ことを特徴とするタグ読み取り方法。
（付記１０） 重ね合わされた複数のタグの少なくとも一つに電力を供給し、該タグから情報を読み取るタグ読み取り方法において、
電磁波を漏洩する伝送線路を前記重ね合せたタグの周囲に置き、
高周波信号を分岐し、分岐した各高周波信号を前記伝送線路の両端に入力して干渉させ、
分岐点から伝送線路の両端までの伝播長に差を持たせ、高周波信号の周波数を任意の低周波数から任意の高周波数まで変更するとき、前記分岐高周波信号間の位相が所要角度回転するように該差を決定し、
情報を読み出すタグの位置に応じて前記高周波信号の周波数を制御し、
前記伝送線路から電磁波を漏洩して前記タグへの高周波信号による電力供給を行う、
ことを特徴とするタグ読み取り方法。      
（付記１１） 重ね合わされた複数のタグの少なくとも一つに電力を供給し、該タグから情報を読み取るタグ読み取り装置において、
高周波信号を発生する手段、
該高周波信号がそれぞれ入力され、複数の箇所から該高周波信号により電磁波を発生し、該電磁波をタグ上で干渉させる電磁波発生手段、
情報を読み出すタグの位置に応じて前記高周波信号間の位相差を決定する手段、
該位相差が生じるように少なくとも一方の高周波信号の位相を制御する移相手段、
を備えたことを特徴とするタグ読み取り装置。      
（付記１２）前記重ね合わされたタグの両側から高周波信号により電磁波を発生し、該電磁波をタグ上で干渉させる、
ことを特徴とする付記1１記載のタグ読み取り装置。
（付記１３） 重ね合わされた複数のタグの少なくとも一つに電力を供給し、該タグから情報を読み取るタグ読み取り装置において、
高周波信号を発生する手段、
該高周波信号が入力され、前記重ね合わされたタグの一方の側から該高周波信号により電磁波を発生する電磁波発生手段、
タグの他方の側に設けられ、前記高周波信号により生じる電磁波を反射し、前記電磁波と反射電磁波を前記重ね合わされたタグ上で干渉させる反射体、
前記反射体を移動させる移動手段、
情報を読み出すタグの位置に応じて、前記反射体の位置を制御する制御手段、
を備えたことを特徴とするタグ読み取り装置。      
（付記１４） 重ね合わされた複数のタグの少なくとも一つに電力を供給し、該タグから情報を読み取るタグ読み取り装置において、
高周波信号を発生する手段、
該高周波信号が入力され、前記重ね合わされたタグの一方の側から該高周波信号により電磁波を発生する電磁波発生手段、
タグの他方の側に設けられ、前記高周波信号により生じる電磁波を反射し、前記電磁波と反射電磁波を前記重ね合わされたタグ上で干渉させる反射体、
前記反射体の反射率を変更する反射率変更手段
情報を読み出すタグの位置に応じて、反射体の反射率を制御する制御手段、
を備えたことを特徴とするタグ読み取り装置。
（付記１５） 重ね合わされた複数のタグの少なくとも一つに電力を供給し、該タグから情報を読み取るタグ読み取り装置において、
高周波信号を発生する手段、
前記高周波信号を分岐する手段、
該分岐した高周波信号がそれぞれ入力され、複数の箇所から該高周波信号により電磁波を発生し、該電磁波をタグ上で干渉させる電磁波発生手段、
前記高周波信号の周波数を任意の低周波数から任意の高周波数まで変更するとき、前記分岐高周波信号間の位相が所要角度回転するように、前記信号分岐点から前記電磁波発生点までの伝播長に差を持たせた伝搬線路、
情報を読み出すタグの位置に応じて前記高周波信号の周波数を制御する制御手段、
を備えたことを特徴とするタグ読み取り装置。      
（付記１６）前記重ね合わされたタグの両側から高周波信号により電磁波を発生し、該電磁波をタグ上で干渉させる、
ことを特徴とする付記1５記載のタグ読み取り装置。
（付記１７） 前記重ね合わされた複数のタグの周囲を金属体で囲む、
ことを特徴とする付記１１乃至１５記載のタグ読み取り装置。
（付記１８） 重ね合わされた複数のタグの少なくとも一つに電力を供給し、該タグから情報を読み取るタグ読み取り装置において、
前記重ね合せたタグの周囲に設けられ、電磁波を漏洩する伝送線路、
高周波信号を発生する手段、
該高周波信号を分岐し、分岐した各高周波信号を前記伝送線路の両端に入力する手段、
情報を読み出すタグの位置に基づいて前記分岐した高周波信号間の位相差を決定する手段、
該位相差が生じるように少なくとも一方の高周波信号の位相を制御する手段、
を備え、前記伝送線路から電磁波を漏洩して前記タグへの高周波信号による電力供給を行うことを特徴とするタグ読み取り装置。      
（付記１９） 重ね合わされた複数のタグの少なくとも一つに電力を供給し、該タグから情報を読み取るタグ読み取り装置において、
前記重ね合せたタグの周囲に設けられ、電磁波を漏洩する伝送線路、
高周波信号を発生し、前記伝送線路の一端に入力する手段、
前記伝送線路の他端に接続され、前記高周波信号を反射する反射回路、
情報を読み出すタグの位置に応じて前記反射回路の反射率を制御する手段、
を備え、前記高周波信号と反射高周波信を干渉し、前記伝送線路から電磁波を漏洩して前記タグへの高周波信号による電力供給を行うことを特徴とするタグ読み取り装置。
（付記２０） 重ね合わされた複数のタグの少なくとも一つに電力を供給し、該タグから情報を読み取るタグ読み取り装置において、
前記重ね合せたタグの周囲に設けられ、電磁波を漏洩する伝送線路、
高周波信号を発生する手段、
該高周波信号を分岐し、分岐した各高周波信号を前記伝送線路の両端に入力する手段、
前記高周波信号の周波数を任意の低周波数から任意の高周波数まで変更するとき、前記分岐高周波信号間の位相が所要角度回転するように、前記信号分岐点から前記電磁波発生点までの伝播長に差を持たせた伝搬線路、
情報を読み出すタグの位置に応じて前記高周波信号の周波数を制御する制御手段、
を備えたことを特徴とするタグ読み取り装置。
【図面の簡単な説明】
【００４８】
【図１】本発明の第1実施例の説明図である。
【図２】距離ｒの位置における電力Ｐを、位相差θを変えて示すＰ−ｒ曲線である。
【図３】位相差θと電力ピーク点までの距離ｒの対応表である。
【図４】第1実施例のタグ読取装置を備えたシステムの全体図である。
【図５】コンパクトディスクＣＤの孔の周囲に無線タグを貼り付けた状態説明図である。
【図６】図4のタグ読取装置の回路構成図である。
【図７】物品群の周囲を金属筐体で囲った場合の第1の例である。
【図８】物品群の周囲を金属筐体で囲った場合の第２の例である。
【図９】金属筐体内部への電力供給方法の説明図である。
【図１０】線状アンテナとループ状のアンテナの説明図である。
【図１１】線状アンテナとループ状アンテナの金属筐体への取付け例である。
【図１２】本発明の第2実施例の説明図である。
【図１３】距離ｒの位置における電力Ｐを反射器の移動距離ｄ2をかえて示すＰ−ｒ曲線である。
【図１４】反射器の移動距離ｄ2と電力ピーク点までの距離ｒの対応表である。
【図１５】第2実施例のタグ読取装置を備えたシステムの全体図である。
【図１６】図１５のタグ読取装置の回路構成図である。
【図１７】本発明の第３実施例のタグ読取装置を備えたシステムの全体図である。
【図１８】図１７のタグ読取装置の回路構成図である。
【図１９】反射器(反射板)と反射率変更回路の構成例である。
【図２０】周波数１ＧＨｚの時のθとＬ、Ｃの対応表である。
【図２１】第４実施例の説明図である。
【図２２】距離ｒの位置における電力Ｐを高周波信号の周波数を変えて示すＰ−ｒ曲線である。
【図２３】周波数ｆと電力ピーク点までの距離ｒの対応表である。
【図２４】第４実施例のタグ読取装置を備えたシステムの全体構成図である。
【図２５】図２4のタグ読取装置の回路構成図である。
【図２６】第5実施例の説明図である。
【図２７】漏洩同軸ケーブルの説明図である。
【図２８】漏洩同軸ケブルの配置例である。
【図２９】第５実施例のタグ読取装置を備えたシステムの全体図である。
【図３０】第５実施例の変形例における全体のシステム構成図である。
【図３１】平行ケーブルの構成例である。
【図３２】定在波が発生する原理を説明するための平行ケーブルの等化回路である。
【図３３】第6実施例の説明図である。
【図３４】全体のシステム構成図である。
【図３５】漏洩同軸ケブルに反射率変更回路を接続した例である。
【図３６】第７実施例の説明図である。
【図３７】全体のシステム構成図である。
【図３８】無線タグの説明図である。
【図３９】従来技術の無線タグの説明図である。
【符号の説明】
【００４９】
１１  読取制御部
１２  ハイブリッド
１３  移相器
１４，１５  アンテナ
Ｇ１〜Ｇｎ  無線タグが貼り付けられた物品
【図１】
2005184318.tif 000010
【図２】
2005184318.tif 000011
【図３】
2005184318.tif 000012
【図４】
2005184318.tif 000013
【図５】
2005184318.tif 000014
【図６】
2005184318.tif 000015
【図７】
2005184318.tif 000016
【図８】
2005184318.tif 000017
【図９】
2005184318.tif 000018
【図１０】
2005184318.tif 000019
【図１１】
2005184318.tif 000020
【図１２】
2005184318.tif 000021
【図１３】
2005184318.tif 000022
【図１４】
2005184318.tif 000023
【図１５】
2005184318.tif 000024
【図１６】
2005184318.tif 000025
【図１７】
2005184318.tif 000026
【図１８】
2005184318.tif 000027
【図１９】
2005184318.tif 000028
【図２０】
2005184318.tif 000029
【図２１】
2005184318.tif 000030
【図２２】
2005184318.tif 000031
【図２３】
2005184318.tif 000032
【図２４】
2005184318.tif 000033
【図２５】
2005184318.tif 000034
【図２６】
2005184318.tif 000035
【図２７】
2005184318.tif 000036
【図２８】
2005184318.tif 000037
【図２９】
2005184318.tif 000038
【図３０】
2005184318.tif 000039
【図３１】
2005184318.tif 000040
【図３２】
2005184318.tif 000041
【図３３】
2005184318.tif 000042
【図３４】
2005184318.tif 000043
【図３５】
2005184318.tif 000044
【図３６】
2005184318.tif 000045
【図３７】
2005184318.tif 000046
【図３８】
2005184318.tif 000047
【図３９】
2005184318.tif 000048